(57)【要約】【課題】  センターチャネルの再生音を他チャネルの再生音の影響を受けずに明瞭に聴取できるマルチチャネル音響再生装置を提供する。【解決手段】  音響再生装置（１）は、接続された複数の電気音響変換器（２ＦＬ〜２ＲＲ）の一つが骨伝導スピーカ（１７）であり、センターチャネル信号（Ｓ２）を他のチャネル信号に対して任意の時間遅延させる遅延手段（１ｃＡ）を備えると共に、この遅延手段（１ｃＡ）により遅延させたセンターチャネル信号を骨伝導スピーカ（１７）に送出する。【選択図】      図１
2006157106.tif 000002
【特許請求の範囲】
【請求項１】
一つの骨伝導スピーカと複数の空気伝播スピーカとが接続され、
外部から入来するセンターチャネル信号を含むマルチチャネル信号を前記各スピーカに送出する送出手段を備え、
前記送出手段は、前記センターチャネル信号を前記骨伝導スピーカに送出し、
受聴位置における、前記骨伝導スピーカからの再生音と前記空気伝播スピーカからの再生音との到達時間差をなくすよう前記センターチャネル信号を前記マルチチャネル信号の他のチャネル信号に対して任意の時間遅延させる遅延手段を備えたことを特徴とする音響再生装置。
【請求項２】
骨伝導スピーカと、
複数の空気伝播スピーカと、
外部から入来するセンターチャネル信号を含むマルチチャネル信号を前記骨伝導スピーカ及び複数の空気伝播スピーカにそれぞれ送出してマルチチャネル再生をする音響再生アンプと、を含んでなる音響再生システムにおいて、
前記音響再生アンプは、前記センターチャネル信号を他のチャネル信号に対して任意の時間遅延させる遅延手段と、前記センターチャネル信号の低音領域成分をカットするフィルタ手段と、を備え、
前記遅延手段により遅延し前記フィルタ手段により低音領域成分をカットした前記センターチャネル信号を前記骨伝導スピーカから再生するよう構成したことを特徴とする音響再生システム。
【発明の詳細な説明】
【技術分野】
【０００１】
本発明は、音響再生装置及び音響再生システムに係り、特に、センターチャネルを有するマルチチャネルソースを再生する音響再生装置及び音響再生システムに関する。
【背景技術】
【０００２】
近年、ＤＶＤやデジタル放送の普及が急速に進み、それを再生する音響再生装置のマルチチャネル化も促進されている（特許文献１参照）。
このマルチチャネル化により、例えば家庭内においては、音響再生装置と大画面ＴＶと複数のスピーカとを組み合わせ、映画等を映画館に匹敵する臨場感で鑑賞することができる。
このマルチチャネル方式は、例として５．１ｃｈ方式で説明すると、フロントＬ（ＦＬ），フロントＲ（ＦＲ），リアＬ（ＲＬ），リアＲ（ＲＲ）の各チャネルに加え、重低音再生用ＬＦＥ（Ｌｏｗ  Ｆｒｅｑｕｅｎｃｙ  Ｅｆｆｅｃｔ）チャネルとセンターチャネル（ＣＣ）をそれぞれ専用のスピーカで再生する方式であり、臨場感に優れた音響再生空間が提供されるものである。
【０００３】
この場合、ＬＦＥ用スピーカは任意の位置（通常は概ね前方）に配置し、ＣＣ用スピーカは、良好な定位のためにＦＬ用スピーカとＦＲ用スピーカの中央に配置する。通常、家庭内において鑑賞者の正面はＴＶ等の画像表示装置が配置されるので、この装置と同じ位置にＣＣ用スピーカが配置されるのが一般的なレイアウトである。
【特許文献１】特開２００２−３５４６００号公報
【発明の開示】
【発明が解決しようとする課題】
【０００４】
しかしながら、このレイアウトでは、ＣＣ用スピーカを画像表示装置の天板に載せるか、画像表示装置の置き台内部の棚板等に置くことになる。
従って、前者の場合、視覚的に体裁が極めて悪く、また、スピーカは重量物であるから、ただ置くだけではなく落下しないようにしっかりと固定する必要がある。
後者の場合、置き台内部に本来置かれるべき録画装置等の機器類を収容するスペースが減少する等の不具合があった。
【０００５】
また、ＣＣ用スピーカの置き方によっては、その振動が他の機器に影響を及ぼす可能性も懸念される。
また、映画等のダイナミックレンジの広いソースでは、ＣＣの音量は、他のチャネルの音量、例えば立体音場再現のための効果音等に比較して相当に小さい音量に設定されている場合が多く、このようなソースを小音量で鑑賞する際には、台詞等のＣＣの再生音が他チャネルの再生音に干渉されて聞き取り難くなる不具合があった。
【０００６】
そこで、本発明が解決しようとする課題は、鑑賞者正面に配置した画像表示装置近傍の外観品位を維持し、周辺機器の収容スペースを確保し、センターチャネルの再生音を他チャネルの再生音の影響を受けずに明瞭に聴取できる音響再生装置及び音響再生システムを提供することにある。
【課題を解決するための手段】
【０００７】
上記の課題を解決するために、本願発明は手段として次の構成を有する。
即ち、請求項１に係る発明は、一つの骨伝導スピーカ（１７）と複数の空気伝播スピーカ（２ＦＬ〜２ＲＲ）とが接続され、外部から入来するセンターチャネル信号（Ｓ２）を含むマルチチャネル信号（Ｓ１）を前記各スピーカに送出する送出手段（１ｂＡ，１ｂＢ）を備え、前記送出手段（１ｂＡ，１ｂＢ）は、前記センターチャネル信号（Ｓ２）を前記骨伝導スピーカ（１７）に送出し、受聴位置における、前記骨伝導スピーカ（１７）からの再生音と前記空気伝播スピーカ（２ＦＬ〜２ＲＲ）からの再生音との到達時間差をなくすよう前記センターチャネル信号（Ｓ２）を前記マルチチャネル信号（Ｓ１）の他のチャネル信号に対して任意の時間遅延させる遅延手段（１ｃＡ）を備えたことを特徴とする音響再生装置（１）である。
また、請求項２に係る発明は、骨伝導スピーカ（１７）と、複数の空気伝播スピーカ（２ＦＬ〜２ＲＲ）と、外部から入来するセンターチャネル信号（Ｓ２）を含むマルチチャネル信号（Ｓ１）を前記骨伝導スピーカ（１７）及び複数の空気伝播スピーカ（２ＦＬ〜２ＲＲ）にそれぞれ送出してマルチチャネル再生をする音響再生アンプ（１）と、を含んでなる音響再生システムにおいて、
前記音響再生アンプ（１）は、前記センターチャネル信号（ＣＣ）を他のチャネル信号に対して任意の時間遅延させる遅延手段（１ｃＡ）と、前記センターチャネル信号の低音領域成分をカットするフィルタ手段（１ｄ）と、を備え、前記遅延手段（１ｃＡ）により遅延し前記フィルタ手段（１ｄ）により低音領域成分をカットした前記センターチャネル信号を前記骨伝導スピーカ（１７）から再生するよう構成したことを特徴とする音響再生システム（５０）である。
【発明の効果】
【０００８】
本発明によれば、センタースピーカが不要となるので、画像表示装置周辺の外観品位を維持でき、置き台において周辺機器の収容場所を確保することができる。
また、センターチャネル音声を骨伝導で鑑賞者に伝達するので、センターチャネル音声を他チャネル音声と違和感なく明瞭に聴取することができる、という効果を奏する。
【発明を実施するための最良の形態】
【０００９】
本発明の実施の形態を、好ましい実施例により図１〜図３を用いて説明する。
図１は、本発明の音響再生装置の実施例を用いた音響再生レイアウトを説明する図である。
図２は、骨伝導について説明する図である。
図３は、本発明の音響再生装置の実施例における概略ブロック図である。
【００１０】
実施例の音響再生装置１を用いてマルチチャネルソースを再生する例を図１，図３を用いて説明する。
【００１１】
この再生例においては、各チャネルにそれぞれ専用の電気音響変換器であるスピーカを用い、このスピーカを鑑賞者２０に対して以下のように配置した例である。即ち、
フロントＬ（ＦＬ）チャネル用スピーカ２ＦＬを鑑賞者２０の前方左側に配置し、
フロントＲ（ＦＲ）チャネル用スピーカ２ＦＲを鑑賞者２０の前方右側に配置し、
リアＬ（ＲＬ）チャネル用スピーカ２ＲＬを鑑賞者２０の後方左側に配置し、
リアＲ（ＲＲ）チャネル用スピーカ２ＲＲを鑑賞者２０の後方右側に配置している。
また、重低音再生用のＬＦＥチャネル用スピーカ４は、定位への影響が少ないので任意の位置（当図では鑑賞者２０の左手）に配置している。これらのスピーカは、空気伝播により音を伝達するスピーカである。
【００１２】
一方、センターチャネル（ＣＣ）の再生手段としては、空気伝播ではなく骨伝導で音を伝達する骨伝導ヘッドフォン１７（以下、骨伝導ＨＰ１７と称する）を用い、鑑賞者２０はこの骨伝導ＨＰ１７を頭部の耳近傍に装着している。この骨伝導ＨＰ１７の作用については、後述する。
【００１３】
鑑賞者２０の前方正面には、大画面の画像表示装置１０と、各スピーカ２ＦＬ〜２ＲＲ及び骨伝導ＨＰ１７を介してマルチチャネルソースを再生する音響再生装置１が配置される。
各スピーカ２ＦＬ〜２ＲＲ及び骨伝導ＨＰ１７はそれぞれ音響再生装置１と接続されており、音響再生装置１は、図示しない情報媒体（ＤＶＤ，ＣＤあるいは放送等）から供給されたマルチチャネルソース信号Ｓ１を各スピーカ２ＦＬ〜２ＲＲ及び骨伝導ＨＰ１７に送出して再生させる。
このように、実施例は、音響再生装置１と骨伝導ＨＰ１７とスピーカ（２ＦＬ〜２ＲＲ）とを含んで音響再生システムが構成されている。
【００１４】
音響再生装置１は、各スピーカ２ＦＬ〜２ＲＲ及び骨伝導ＨＰ１７に供給する信号の音量や音質等を可変すると共に、鑑賞者の好みの再生音場が得られるよう信号の加工処理を行う信号処理部１ａを備えている。これらの可変、加工処理は、鑑賞者２０自らがリモコン等を用いて遠隔操作により鑑賞位置から指示可能とされている。
【００１５】
この信号処理部１ａは、特に、供給されるマルチチャネルソース信号Ｓ１にセンターチャネル信号（以下、ＣＣ信号と称する）が含まれている場合、そのＣＣ信号Ｓ２を検知し、音量可変すると共に音質を骨伝導ＨＰ１７の特性に合わせて最適化し、これをＣＣ信号出力として他チャネル信号と独立に信号処理して送出する骨伝導ＨＰ用ＣＣ出力部１ｂＡ（以下、単にＣＣ出力部１ｂＡと称する場合がある）を備えている。
また、他チャンネル信号について、音量を可変し音質を最適化する等の信号処理を加え外部に送出する出力部１ｂＢを備えている。
【００１６】
骨伝導ＨＰ用ＣＣ信号出力部１ｂＡは、ＣＣ用の音声信号の不要な低域成分をカットするフィルタ部１ｄを備え、ダイアログ再生に必要な周波数帯域のみを出力させる。また、接続する骨伝導ＨＰ１７の特性や、鑑賞者の頭部骨の音響伝達特性に合わせた出力信号特性に最適化処理をする。
この最適化処理により、鑑賞者２０は、より明瞭なＣＣ音を聴取することができる。
【００１７】
上述した実施例の構成によれば、ＣＣ以外のチャネル再生音は、スピーカ２ＦＬ〜２ＲＲから空間を伝播して鑑賞者２０に到達するので、ＣＣと他チャネルとの間で鑑賞者２０への到達時間差が生じる。
そこで、信号処理部１ａは、この時間差を無くすための遅延装置であるデジタルシグナルプロセッサー（ＤＳＰ）１ｃＡを備えている。
【００１８】
また、音響再生装置１は、他の画像表示装置等によりマルチチャネル音声と同時に画像が表示される場合に、ＣＣと他チャネル間の時間差を調節する以外に画像と音声の時間差を調整する遅延装置であるＤＳＰ１ｃＢを有している。
画像表示装置１０は、様々な画像のデジタル処理をリアルタイムで処理するよう構成されたものが多い。近年、機能拡張のためこの処理量が増加し、処理時間も増加する傾向にある。
この処理時間の増加により、鑑賞者２０が鑑賞する音声と画像との間に無視できない程の時間差を生じるようになってきている。具体的には、音声に対して画像が遅れるのである。
特に、人物の発声場面においては、口の開くタイミングとその口から発せられる声の再生タイミングとがずれ、違和感が生じてしまう。
【００１９】
このため、画像処理により生じる画像の遅延時間に相当する時間分、音声を遅延させ、画像と音声とを時間的に合致させる遅延処理を行う。この遅延処理は、マルチチャンネル信号Ｓ１全体にＤＳＰ１ｃＢにより付与される。もちろん、各チャネル毎にＤＳＰを備え、そのチャネル毎に遅延時間の調整を可能としてもよい。
また、この遅延時間の調整は、言うまでもなく、鑑賞者２０自らがリモコン等を用いて遠隔操作により鑑賞位置から指示可能とされている。
【００２０】
次に、骨伝導ＨＰ１７の作用について図５を用いて説明する。図５は、人の聴覚器官を示した図である。
骨伝導ＨＰ１７で伝達されるＣＣ音声以外のチャネル音声は、各スピーカから空気を伝播し（図中の矢印参照）、鑑賞者２０の耳介１１，外耳道１２，鼓膜１３及び耳小骨１４を順次経て、内耳蝸牛１５へ到達し、聴覚神経１６を介して通常の気導音として鑑賞者２０に認識される。
【００２１】
一方、ＣＣ音声は、鑑賞者２０の耳介１１の周囲に接触させた骨伝導ＨＰ１７から頭蓋骨に振動として伝わり、その振動が直接内耳蝸牛１５以降の聴覚神経１６に伝播し、骨導音として鑑賞者２０に認識される。従って、骨伝導で聴取されるＣＣ音声と空気伝播として聴取される他チャネル音声とを独立して良好に聴取することができる。
【００２２】
以上、詳述した構成によれば、ＣＣ音声の再生を骨伝導ＨＰ１７で行うので、ＣＣ用スピーカは不要であり、鑑賞者２０の前方正面に配置された画像表示装置１０周辺の美観が損なわれることはない。また、置き台内の周辺機器収容スペースが減少することがなく、十分な収容スペースが確保できる。
【００２３】
また、鑑賞者２０の外耳道１２が遮られないので、耳介を介して進入するスピーカからの空気伝播音はそのまま耳内部に到達し、ＣＣ以外のチャネル音声を通常の気導音として認識できると共に、これらの音声と同時に骨伝導によるＣＣ音声を聴取することができる。
従って、ＣＣ音声は、他チャネルの音声からの音響的干渉を受けることがなく、特にダイアログ等のＣＣ音声を極めてクリアな音質で良好に聴取することができる。
【００２４】
加えて、ＣＣ音声が他チャネルの音声による音響的干渉を受けないことから、各チャネルの音量レベルを信号処理部１ａで調整する際に、まず、ソースの内容把握に最も重要なダイアログ等を再生するＣＣ音声の音量を、聴取に最適な音量に設定した後、これを基準として他チャネル音声の音量を任意に調整することができる。
従って、各チャネルを含めた全体の音量バランスを極めて容易に最適化することができる。
【００２５】
また、鑑賞者へ骨伝導で到達するＣＣ音声と空気伝播で到達する他チャネル音声との時間差を無くすようにＣＣ音声信号を遅延させ、その遅延量を調整することができるので、鑑賞者は、再生音響に位相差を感じたり、定位感のなさ等を感じたりする違和感を持つことがない。
【００２６】
また、同時に再生する画像が信号処理等で音声に対して遅延しても、その遅延分、ＣＣを含めたマルチチャネルソース信号全体を遅延させ、その遅延量を調節することができるので、映画等の画像と音声とが融合したコンテンツ再生においても鑑賞者が違和感を持つことはない。
【００２７】
また、従来のようにＣＣ音声をセンタースピーカで再生する場合、鑑賞者の位置がセンタースピーカの正面ではなく斜め方向から鑑賞する際には、スピーカの指向特性により高い周波数領域の音圧が低下しＣＣ音声が不明瞭になることがあった。しかしながら、上述の実施例によれば、ＣＣ音声が直接骨伝導ＨＰにより伝達されるので、鑑賞者の鑑賞位置によらず明瞭度の高いＣＣ音声を聴取することができる。
【００２８】
本発明の実施例は、上述した構成及び手順に限定されるものではなく、本発明の要旨を逸脱しない範囲において変形例としてもよいのは言うまでもない。
【図面の簡単な説明】
【００２９】
【図１】本発明の音響再生装置の実施例を用いた音響再生レイアウトを説明する図である。
【図２】骨伝導について説明する図である。
【図３】本発明の音響再生装置の実施例における概略ブロック図である。
【符号の説明】
【００３０】
１  音響再生装置
１ａ  信号処理部
１ｂＡ  ＣＣ出力部
１ｂＢ  他チャネル出力部
１ｃＡ，１ｃＢ  デジタルシグナルプロセッサ（ＤＳＰ）（遅延手段）
１ｄ  フィルタ部
２ＦＬ  フロントＬスピーカ
２ＦＲ  フロントＲスピーカ
２ＲＬ  リアＬスピーカ
２ＲＲ  リアＲスピーカ
４  ＬＦＥスピーカ
１０  画像表示装置
１７  骨伝導ヘッドフォン（ＨＰ）
２０  鑑賞者
ＣＣ  センターチャネル
Ｓ１  マルチチャネルソース信号
Ｓ２  センターチャネル信号
【図１】
2006157106.tif 000003
【図２】
2006157106.tif 000004
【図３】
2006157106.tif 000005